(57)【要約】【課題】広範囲に及ぶ被処理材料を良好に処理することができる撹拌容器を提供することを目的とする。【解決手段】底壁部４１と側壁部４２との間の角部４３には、内部空間４４へ突出する突起部５０が形成されている。従って、角部４３付近に集まった固形物が、突起部５０によって粉砕されて細かくなる。このように固形物が粉砕されて細かくなることで、被処理材料Ｍを流動性のあるものにすることができる。一方、処理の後半時においては、粉砕されて流動性を有することとなった被処理材料Ｍが撹拌容器４０内で対流することで、被処理材料Ｍを練る動作が行われる。このとき、固形物の粉砕に用いられた突起部５０は、角部４３に部分的に設けられた部材である。従って、被処理材料Ｍの対流を阻害する影響を少なくすることができる。このように、本実施形態に係る撹拌容器４０は、大きな固形物を含む食品などであっても、良好に処理を行うことができる。【選択図】図３
2019130456.tif 000002
【特許請求の範囲】
【請求項１】
被処理材料を収容し、公転軸線を中心に公転しながら、自転軸線を中心に自転することで前記被処理材料を処理する遠心機の撹拌容器であって、
底壁部及び側壁部を有し、
前記底壁部と前記側壁部との間の角部に、内部空間へ突出する突起部が形成された、撹拌容器。
【請求項２】
前記突起部は、少なくとも二つの面が交わることで形成されるエッジ部を有する、請求項１に記載の撹拌容器。
【請求項３】
前記突起部は、周方向から見たときに、前記内部空間側へ凸となる形状を有する、請求項１又は２に記載の撹拌容器。
【請求項４】
前記突起部は、前記内部空間へ頂部が突出する角錐の形状を有する、請求項１に記載の撹拌容器。
【請求項５】
前記突起部は、前記底壁部から前記側壁部に沿って上方へ延びる角柱の形状を有する、請求項１に記載の撹拌容器。
【請求項６】
前記突起部は、前記側壁部から内周側及び下側へ向けて延びるエッジ部を有し、
前記エッジ部は、周方向から見て前記角部側へ窪むように湾曲する、請求項１に記載の撹拌容器。
【請求項７】
前記突起部は、前記内部空間側へ凸となる湾曲面を有する、請求項１に記載の撹拌容器。  
【発明の詳細な説明】
【技術分野】
【０００１】
本発明の一形態は、撹拌容器に関する。
【背景技術】
【０００２】
従来、被処理材料を収容した状態で遠心機に取り付けられ、内部の被処理材料を処理する撹拌容器が知られている。特許文献１に記載の撹拌容器は、遠心機に取り付けられることで、公転軸線を中心に公転しながら、自転軸線を中心に自転することで被処理材料を処理する。
【先行技術文献】
【特許文献】
【０００３】
【特許文献１】特開２０１７−１９２９１２号公報
【発明の概要】
【発明が解決しようとする課題】
【０００４】
特許文献１の遠心機は、接着剤や樹脂などの工業品の処理に用いられていた。ここで、公転・自転を同時に行う遠心機の処理対象を更に広げ、食品などを処理することが求められている。ここで、食品などの被処理材料は径が大きい固形物を含む場合があり、そのような被処理材料であっても好適に処理を行うことが求められている。すなわち、広範囲に及ぶ被処理材料を処理することができる撹拌容器が求められていた。
【０００５】
本発明は、広範囲に及ぶ被処理材料を良好に処理することができる撹拌容器を提供することを目的とする。
【課題を解決するための手段】
【０００６】
本発明の一形態に係る撹拌容器は、被処理材料を収容し、公転軸線を中心に公転しながら、自転軸線を中心に自転することで被処理材料を処理する遠心機の撹拌容器であって、底壁部及び側壁部を有し、底壁部と側壁部との間の角部に、内部空間へ突出する突起部が形成されている。
【０００７】
撹拌容器は、遠心機に取り付けられることで、公転軸線を中心に公転しながら、自転軸線を中心に自転することで被処理材料を処理する。ここで、被処理材料が固形物を含む場合、処理開始時において、固形物は遠心力の影響により角部付近へ集まりやすくなる。底壁部と側壁部との間の角部には、内部空間へ突出する突起部が形成されている。従って、角部付近に集まった固形物が、突起部によって粉砕されて細かくなる。一方、処理の後半時においては、粉砕されて流動性を有することとなった被処理材料を撹拌容器内で対流させることで、被処理材料を練る動作が行われる。このとき、固形物の粉砕に用いられた突起部は、（例えば底面全体に設けられたフィンなどとは異なり）角部に部分的に設けられた部材である。従って、突起部は、固形物の粉砕を行いつつも、被処理材料の対流を阻害する影響を少なくすることができる。以上により、広範囲に及ぶ被処理材料を良好に処理することができる。
【０００８】
撹拌容器において、突起部は、少なくとも二つの面が交わることで形成されるエッジ部を有してよい。この場合、エッジ部が被処理材料の固形物と衝突することで当該固形物を良好に粉砕することができる。
【０００９】
撹拌容器において、突起部は、周方向から見たときに、内部空間側へ凸となる形状を有してよい。この場合、突起部は固形物に対して好適に衝撃を与えることができる。
【００１０】
撹拌容器において、突起部は、内部空間へ頂部が突出する角錐の形状を有してよい。この場合、角錐は先端が鋭利な形状であるため、固形物を良好に粉砕することができる。また、処理の後半時においては、角錐は、流動性を有する被処理物に対して干渉し難い形状であるため、被処理物の対流に対する影響も少なくすることができる。
【００１１】
撹拌容器において、突起部は、底壁部から側壁部に沿って上方へ延びる角柱の形状を有してよい。角柱の形状は、被処理材料と衝突する面積を確保し易いため、すり鉢でする効果を得やすくなる。
【００１２】
撹拌容器において、突起部は、側壁部から内周側及び下側へ向けて延びるエッジ部を有し、エッジ部は、周方向から見て角部側へ窪むように湾曲してよい。このような形状の場合、突起部にて固形物が詰まり難くなる。従って、当該突起部は、詰まりやすい被処理材料を良好に処理することができる。
【００１３】
撹拌容器において、突起部は、内部空間側へ凸となる湾曲面を有してよい。この場合、被処理材料に対する突起部の抵抗を少なくすることができる。従って、突起部は、流動性を有する被処理物の対流を阻害する影響を少なくすることができる。
【発明の効果】
【００１４】
本発明の一形態によれば、広範囲に及ぶ被処理材料を良好に処理することができる撹拌容器を提供できる。
【図面の簡単な説明】
【００１５】
【図１】図１は、本発明の一実施形態に係る撹拌容器が取り付けられる遠心機の概略構成を示す断面図である。
【図２】図２は、本発明の一実施形態に係る撹拌容器の斜視図である。
【図３】図３は、突起部の拡大図である。
【図４】図４は、変形例に係る撹拌容器の突起部の拡大図である。
【図５】図５は、変形例に係る撹拌容器の突起部の拡大図である。
【図６】図６は、変形例に係る撹拌容器の突起部の拡大図である。
【図７】図７は、変形例に係る撹拌容器の突起部の拡大図である。
【図８】図８は、各形態についての評価結果を示す表である。
【発明を実施するための形態】
【００１６】
以下、本発明の好適な実施形態について、図面を参照して詳細に説明する。なお、各図において同一又は相当部分には同一符号を付し、重複する説明を省略する。
【００１７】
図１は、本発明の一実施形態に係る撹拌容器が取り付けられる遠心機の概略構成を示す断面図である。同図に示すように、遠心機１は、公転体１０と、自転体２０と、支持基板３０とを含み構成される。その他、遠心機１は、図示しない駆動機構や、バランスウエイト等を含み構成される。
【００１８】
公転体１０は、軸部１１と、第１アーム１２と、第２アーム１３とを含み構成される。公転体１０は、軸部１１を支持基板３０に回転可能に支持されて、図示しない駆動機構により、仮想の直線である公転軸線Ｌ１を中心に回転させられる。
【００１９】
第１アーム１２は、公転軸線Ｌ１に直交する第１の方向に延びて、途中で屈曲するように構成され、自転体２０を取り付けられる。第２アーム１３は、第１の方向と反対方向である第２の方向に延びて、公転体１０の回転時のバランスを取り、静寂性等を向上させるための図示しないバランスウエイトを取り付けられる。
【００２０】
自転体２０は、軸部２１及びホルダ部２２を含み構成される。自転体２０は、軸部２１を、公転体１０の第１アーム１２の屈曲した部分より先端側に回転可能に保持されて、図示しない駆動機構により、仮想の直線である自転軸線Ｌ２を中心に回転させられる。なお、上述の配置に基づき、自転軸線Ｌ２は、公転軸線Ｌ１に対して所定の傾斜角度を有する。
【００２１】
ホルダ部２２は、有底筒状に構成されて、軸部２１と反対の端面が開口している。ホルダ部２２は、当該開口した部分より、図２に示す撹拌容器４０を底部より受け入れて保持する。
【００２２】
以上のように構成される遠心機１は、被処理材料Ｍを収納した撹拌容器４０を自転体２０のホルダ部２２に保持した状態で、公転軸線Ｌ１を中心に公転体１０を回転させつつ、自転軸線Ｌ２を中心に自転体２０を回転させる。これにより、撹拌容器４０が公転軸線Ｌ１を中心に公転しつつ、自転軸線Ｌ２を中心に自転するので、該撹拌容器４０に収納されている被処理材料Ｍが処理される。
【００２３】
被処理材料Ｍは、その組成や用途を特に限定されない。被処理材料Ｍとしては、流体成分のみを含む材料、流体成分のほかに粒状成分（粉状成分）を含む材料、固形成分のみを含む材料等を適用できる。本実施形態に係る撹拌容器４０を用いる場合、固形物を含む被処理材料Ｍを採用することが効果的であり、特に被処理材料Ｍとして食品を採用することで効果が顕著に得られる。例えば、被処理材料Ｍとして、アイス全般、トマト、桃、ブドウ、生ショウガ、蒸した芋、調味料を入れた挽肉、きりたんぽのための米等、その他様々な食品を採用してよい。
【００２４】
図２は、本発明の一実施形態に係る撹拌容器の斜視図である。図２では、撹拌容器４０の断面が示されている。撹拌容器４０は、被処理材料Ｍを収容し、公転軸線Ｌ１を中心に公転しながら、自転軸線Ｌ２を中心に自転することで被処理材料Ｍを処理するものである。同図に示すように、撹拌容器４０は、一方向に開口した有底筒状に形成されており、被処理材料Ｍを収納する。撹拌容器４０は、一般的に有底円筒形状であり、図示しない蓋が開口部に取り付けられるように構成してもよい。撹拌容器４０は、その中心を通る仮想の直線である中心線が、自転軸線Ｌ２と重なるように図１に示すホルダ部２２に搭載される。
【００２５】
撹拌容器４０は、底壁部４１及び側壁部４２を有する。底壁部４１は、撹拌容器４０の底部において中心線と直交する方向へ広がる。図２に示す底壁部４１は、上側へ凸となるように僅かに湾曲しているが、下方へ湾曲してもよく、真っ直ぐな平面であってもよい。ただし、底壁部４１は、例えば完全に半球状となる程度まで湾曲しない。側壁部４２は、底壁部４１の外周縁から上方へ向かって延びる。図２に示す側壁部４２は、上方へ真っすぐに延びているが、中心軸に対して傾斜していてもよい。底壁部４１と側壁部４２との間には、角部４３が形成される。なお、角部４３には湾曲形状（角Ｒ）が付与されていてもよい。ただし、当該湾曲形状の曲率半径は、例えば撹拌容器４０の半径の半分以下に設定されてよい。ただし、角部４３の湾曲形状は無くともよい（角Ｒ＝０ｍｍ）。また、角部４３には面取りがなされていてもよく、当該面取りの幅寸法は、撹拌容器４０の半径の半分以下に設定されてよい。ただし、角部４３の面取りは無くともよい（面取り幅寸法＝０ｍｍ）。なお、撹拌容器４０の寸法は特に限定されるものではないが、直径及び高さは、例えば３０ｍｍ以上に設定されてよく、上限は特に限定されない。
【００２６】
角部４３には、内部空間４４へ突出する突起部５０が形成される。突起部５０は、角部４３の周方向において一つだけ設けられてもよいが、複数個設けられていてもよい。また、複数の突起部５０を設ける場合、突起部５０は等角度で設けられてもよく、他のパターンに従って設けられてもよい。図２に示す例では、突起部５０は、１２０°間隔で形成されている。従って、突起部５０は三個設けられる（図示されていない箇所に一個設けられている）。
【００２７】
突起部５０は、角部４３に部分的に形成された部材である。突起部５０は、底壁部４１の角部４３付近以外の領域には、撹拌時にペースト状となった被処理材料Ｍの動きを阻害しないように、平面部６１を確保している。突起部５０は、側壁部４２の角部４３付近以外の領域には、撹拌時にペースト状となった被処理材料Ｍの動きを阻害しないように、平面部６２を確保している。なお、平面部６１，６２の「平面」とは、局所的に突出した部分や窪んだ部分を有さない面のことであり、真っ直ぐに広がる面のみならず、滑らかな湾曲面なども含む趣旨である。すなわち、底壁部４１に沿って側壁部４２から中心付近まで大きく延びるようなフィンやブレードなどのような部材は、突起部５０には含まれない。また、側壁部４２に沿って底壁部４１から上方へ大きく延びるようなフィンやブレードなどのような部材は、突起部５０には含まれない。これらのフィンやブレードは、撹拌時に流動性を有する被処理材料Ｍの対流を阻害してしまう。なお、図２に示す突起部５０は、撹拌容器４０の回転方向に偏った形状を有しているが、当該形状は突起部５０の形状の一例に過ぎず、図３のように偏り無く設けてもよい。
【００２８】
突起部５０の具体的な大きさについて説明する。例えば、図３に示すように、突起部５０の高さ寸法Ｈ、長さ寸法Ｌ、幅寸法Ｗを設定する。高さ寸法Ｈは、突起部５０のうち、最も高い部分と底壁部４１との間の寸法である。長さ寸法Ｌは、突起部５０のうち、最も側壁部４２から突出した箇所と側壁部４２との間の寸法である。幅寸法Ｗは、突起部５０のうち最も周方向に突出した部分同士の間の寸法である。この場合、高さ寸法Ｈの下限値は、２ｍｍであってよく、より好ましくは６ｍｍであってよい。高さ寸法Ｈの上限値は、２０ｍｍであってよく、より好ましくは６ｍｍであってよい。長さ寸法Ｌの下限値は、２ｍｍであってよく、より好ましくは６ｍｍであってよい。長さ寸法Ｌの上限値は、２０ｍｍであってよく、より好ましくは６ｍｍであってよい。幅寸法Ｗの下限値は、２ｍｍであってよく、より好ましくは６ｍｍであってよい。幅寸法Ｗの上限値は、２０ｍｍであってよく、より好ましくは６ｍｍであってよい。または、撹拌容器４０のサイズは適宜変更されるため、次のように寸法が設定されてもよい。すなわち、撹拌容器４０の側壁部４２の高さを１００％とした場合、突起部５０の高さ寸法Ｈの下限値は、３％であってよく、より好ましくは９％であってよい。高さ寸法Ｈの上限値は、３０％であってよい。底壁部４１の半径を１００％とした場合、突起部５０の長さ寸法Ｌの下限値は、６％であってよく、より好ましくは１８％であってよい。長さ寸法Ｌの上限値は、６０％であってよい。底壁部４１の直径を１００％とした場合、突起部５０の幅寸法Ｗの下限値は、３％であってよく、より好ましくは９％であってよい。幅寸法Ｗの上限値は、３０％であってよい。なお、この寸法関係は、図３に示す形状のみに適用されるものではなく、他の形状の突起部にも適用される。
【００２９】
なお、突起部５０が設けられない領域を以下の様に特定してもよい。例えば、撹拌容器４０の側壁部４２の長さを１００％として、上端から７０％の領域には突起部５０が設けられないように設定してよい。また、撹拌容器４０の底壁部４１の半径を１００％として、中心から４０％の領域には突起部５０が設けられないように設定してよい。
【００３０】
なお、本実施形態では、底壁部４１の平面部６１に該当する箇所には他の突起部が形成されていないが、変形例として他の突起部が形成されていてもよい。その場合であっても、撹拌時にペースト状となった被処理材料Ｍの動きを阻害しないように、底壁部４１の平面部６１は一定以上の広さが確保されていることが好ましい。例えば、底壁部４１の内部空間４４側の底面の広さ（突起部が無いと仮定した場合の全体面積）を１００％とした場合、突起部が占める割合は、４％以下とすることが好ましい。本実施形態では、側壁部４２の平面部６２に該当する箇所には他の突起部が形成されていないが、変形例として他の突起部が形成されていてもよい。その場合であっても、撹拌時にペースト状となった被処理材料Ｍの動きを阻害しないように、側壁部４２の平面部６２は一定以上の広さが確保されていることが好ましい。例えば、側壁部４２の内部空間４４側の全周に渡る内周面の広さ（突起部が無いと仮定した場合の全体面積）を１００％とした場合、突起部が占める割合は、１０％以下とすることが好ましい。
【００３１】
次に、突起部５０の形状について説明する。図３は、突起部５０の拡大図であり、（ａ）は周方向から見た図を示し、（ｂ）は上方から見た図を示す。なお、図３では、突起部５０、底壁部４１、及び側壁部４２の形状は簡略化して示されている。図２及び図３に示すように、突起部５０は、内部空間４４へ頂部５１が突出する角錐の形状を有する。本実施形態では、突起部５０は三角錐の形状を有する。ただし、突起部５０は多角錐であればよく、四角錐、五角錐等であってもよい。あるいは、円錐の突起部を採用してもよい。
【００３２】
突起部５０は、平面５２Ａ，５２Ｂ，５２Ｃを有する。突起部５０は、平面５２Ａ，５２Ｂ，５２Ｃの少なくとも二つが交わることで形成されるエッジ部５３を有する。エッジ部５３は、平面５２Ａと平面５２Ｂとが交わる部分と、平面５２Ｂと平面５２Ｃとが交わる部分と、平面５２Ａと平面５２Ｃとが交わる部分に形成される。また、平面５２Ａ，５２Ｂ，５２Ｃが交わることで、エッジ部として頂部５１が形成される。なお、エッジ部５３（及び頂部５１）には、湾曲形状（角Ｒ）が形成されていないことが好ましく、形成されていても角Ｒは限りなく０に設定されていることが好ましい。ただし、製造上の理由や、取り扱い上の理由によりエッジ部５３に角Ｒが形成される場合があってもよいが、この場合、０．３ｍｍ以下に留めることが好ましい。
【００３３】
突起部５０は、周方向から見たときに（図３（ａ）に示す様子）、底壁部４１から立ち上がり、且つ、側壁部４２から立ち上がる。これにより、突起部５０は、周方向から見たときに、内部空間４４側へ凸となる形状を有する。底壁部４１から立ち上がる状態とは、周方向から見たときの突起部５０の輪郭部が、底壁部４１から上方へ向かって延びている状態を示す。当該輪郭部は、上方へ垂直に延びてもよく、傾斜や湾曲した状態で上方へ向かって延びていてもよい。側壁部４２から立ち上がる状態とは、周方向から見たときの突起部５０の輪郭部が、側壁部４２から中心側へ向かって延びている状態を示す。当該輪郭部は、中心側へ垂直に延びてもよく、傾斜や湾曲した状態で中心側へ向かって延びていてもよい。
【００３４】
本実施形態の突起部５０は、底壁部４１から内周側へ向かって傾斜するように立ち上がり、側壁部４２から上方へ向かって傾斜するように立ち上がる。従って、頂部５１は、底壁部４１での付根部５６よりも内周側まで迫り出しており、側壁部４２での付根部５７よりも上方へ迫り出している。このように突起部５０が鋭利な形状となることで、被処理材料Ｍの粉砕力等が向上する。
【００３５】
次に、本実施形態に係る撹拌容器４０の作用・効果について説明する。
【００３６】
まず、比較例として、底面及び内周面に突起が設けられることなく平面状に形成された撹拌容器を挙げる。このような撹拌容器は、遠心機１に取り付けられることで、公転軸線Ｌ１を中心に公転しながら、自転軸線Ｌ２を中心に自転することで被処理材料を処理する。このような方式による処理は、公転と自転を同時に行うことによる作用によって、被処理材料を撹拌容器内で十分に練ることができる。従って、この方式による処理は、接着剤や樹脂材料などの工業品の練りを行う際に用いられていた。ここで、本発明者らは、このような遠心機１による練りの方式を食品などの分野にも適用することで、既存の食品では得られない新たな食感に係る製品を製造可能であり、練り食品についてはより効率良く、且つ高品質に練りを行うことができるという知見を得た。
【００３７】
しかしながら、食品の中には、処理前の状態では大きな固形物を含むものもある。比較例に係る撹拌容器でこのような食品を処理した場合、固形物を十分に粉砕することが出来ない可能性や、処理に非常に長い時間がかかる可能性がある。これに対し、撹拌容器内に、例えば大きなブレードや大きなフィン（例えば底壁部の底面において、径方向の全域にわたって延びるフィンなど）などを設けた場合、固形物を粉砕することができる。しかし、処理の後半時においては、粉砕されて流動性を有することとなった被処理材料を撹拌容器内で対流させることで、被処理材料を練る動作が行われる。このとき、大きなブレードやフィンが被処理材料の対流を阻害することによって、被処理材料Ｍを十分に練れない（又は処理時間が長くなる）という問題が生じる。
【００３８】
これに対して、本実施形態に係る撹拌容器４０は、遠心機１のホルダ部２２に取り付けられることで、公転軸線Ｌ１を中心に公転しながら、自転軸線Ｌ２を中心に自転することで被処理材料Ｍを処理する。ここで、被処理材料Ｍが固形物を含む場合、処理開始時において、固形物は遠心力の影響により角部４３付近へ集まりやすくなる。底壁部４１と側壁部４２との間の角部４３には、内部空間４４へ突出する突起部５０が形成されている。従って、角部４３付近に集まった固形物が、突起部５０によって粉砕されて細かくなる。このように固形物が粉砕されて細かくなることで、被処理材料Ｍを流動性のあるものにすることができる。
【００３９】
一方、処理の後半時においては、粉砕されて流動性を有することとなった被処理材料Ｍを撹拌容器４０内で対流させることで、被処理材料Ｍを練る動作が行われる。このとき、固形物の粉砕に用いられた突起部５０は、（例えば前述のように、底面全体に設けられたフィンなどとは異なり）角部４３に部分的に設けられた部材である。従って、突起部５０は、被処理材料Ｍの対流を阻害する影響を少なくすることができる。このように、本実施形態に係る撹拌容器４０は、大きな固形物を含む食品などであっても、良好に処理を行うことができる。以上により、広範囲に及ぶ被処理材料Ｍを良好に処理することができる。
【００４０】
撹拌容器４０において、突起部５０は、少なくとも二つの面が交わることで形成されるエッジ部５３及び頂部５１を有してよい。この場合、エッジ部５３及び頂部５１が被処理材料Ｍの固形物と衝突することで当該固形物を良好に粉砕することができる。
【００４１】
撹拌容器４０において、突起部５０は、周方向から見たときに、内部空間４４側へ凸となる形状を有してよい。この場合、突起部５０は固形物に対して好適に衝撃を与えることができる。
【００４２】
撹拌容器４０において、突起部５０は、内部空間４４へ頂部５１が突出する角錐の形状を有してよい。この場合、角錐の突起部５０は先端が鋭利な形状であるため、固形物を良好に粉砕することができる。また、突起部５０は、粉砕力が高いため硬度の高い固形物も処理することができる。また、処理の後半時においては、角錐は、流動性を有する被処理材料Ｍに対して干渉し難い形状であるため、被処理物の対流に対する影響も少なくすることができる。このように、粉砕効果及び練り効果の両方が高いため、処理時間を全体的に長くすることができる。また、角錐の突起部５０は、処理開始時に固形物が当該突起部５０の位置にて固定されることなく動き出しやすい形状である。また、角錐の突起部５０は、固形物の詰まりが発生し難い形状である。
【００４３】
本発明は、上述の実施形態に限定されるものではない。例えば、突起部の形状は上述の実施形態のような角錐形状に限定されず、あらゆる形状を採用可能である。
【００４４】
例えば、図４に示す突起部７０を採用してよい。突起部７０は、底壁部４１から側壁部４２に沿って上方へ延びる角柱の形状を有する。ここでは、突起部７０は、上方から見て略正三角形をなす三角柱の形状を有する。突起部７０は、三角形の一の頂部７１が内部空間４４に突出するように配置される。突起部７０は、周方向から見たときに、底壁部４１から立ち上がり、且つ、側壁部４２から立ち上がることで、内部空間４４側へ凸となる形状を有する。
【００４５】
突起部７０は、三角形の上面７２Ａと、側面７２Ｂ，７２Ｃと、を有する。エッジ部７３は、上面７２Ａと側面７２Ｂとの間、上面７２Ａと側面７２Ｃとの間、及び側面７２Ｂと側面７２Ｃとの間に形成される。また、上面７２Ａと側面７２Ｂ，７２Ｃとの間のエッジ部として頂部７１が形成される。
【００４６】
撹拌容器４０において、突起部７０は、少なくとも二つの面が交わることで形成されるエッジ部７３及び頂部７１を有してよい。この場合、エッジ部７３及び頂部７１が被処理材料Ｍの固形物と衝突することで当該固形物を良好に粉砕することができる。
【００４７】
撹拌容器４０において、突起部７０は、周方向から見たときに、内部空間４４側へ凸となる形状を有してよい。この場合、突起部７０は固形物に対して好適に衝撃を与えることができる。
【００４８】
突起部７０のように三角柱状の形状を採用した場合、三角錐よりも被処理材料Ｍと衝突する面を広く確保できるので、叩き付けによるすり鉢でする効果を得やすくなる。なお、前述の「粉砕」とは、固形物を砕く事によって小さい粒にしてゆくことである。「すり鉢でする効果」とは、すり鉢内で食品を押し付けるかのように、食品を潰して細かくすることである。「粉砕」は、粒を分離させて更に細かい粒に分ける作用である。「粉砕」は、硬度が高く力を加えることで変形せず壊れやすい食材を対象にした処理方法で、一般的な調理器具として高速回転刃を持つフードプロセッサーやジューサーなどがある。従って、エッジ部や頂部が鋭く、切断効果の高い突起部５０は、好適に粉砕を行うことができる。「すり鉢でする効果」は、撹拌容器４０内で食品が突起部７０の衝突面に押し付けられることにより、すり鉢内で食品を押し付けるような作用である。これにより、食品は変形を伴いながら潰され細かくなる。すり鉢効果による処理は、粘りを生むような食品を対象にした処理方法である場合がある。従って、衝突面を広く確保できる突起部７０は、好適にすり鉢でする効果を行うことができる。
【００４９】
例えば、図５に示す突起部８０を採用してよい。突起部８０は、側壁部４２から内周側及び下側へ向けて延びるエッジ部８３を有している。エッジ部８３は、周方向から見て角部４３側へ窪むように湾曲している。ここでは、突起部８０は、上方から見て略三角形をなす。突起部８０は、エッジ部８３が側壁部４２から径方向に真っ直ぐ延びるように配置される。
【００５０】
突起部８０は、湾曲面８２Ａ，８２Ｂを有する。エッジ部８３は、湾曲面８２Ａ，８２Ｂとの間に形成される。このように、突起部８０は、少なくとも二つの面が交わることで形成されるエッジ部８３を有してよい。この場合、エッジ部８３が被処理材料Ｍの固形物と衝突することで当該固形物を良好に粉砕することができる。
【００５１】
撹拌容器４０において、突起部８０は、側壁部４２から内周側及び下側へ向けて延びるエッジ部８３を有し、エッジ部８３は、周方向から見て角部４３側へ窪むように湾曲してよい。このような形状の場合、突起部８０にて固形物が詰まり難くなる。従って、当該突起部８０は、詰まりやすい被処理材料Ｍを良好に処理することができる。例えば、氷、または水分量の多い食品（スイカ、ミカン、いちごなどの果物）を凍らせた物などは、凍結粉砕するときにブロック状となることが多く、突起部での詰まりを誘発する可能性が高い。従って、角部４３側に窪むように湾曲した突起部８０は、詰まりを回避しながらこれらの食品を効率的に粉砕することができる。
【００５２】
例えば、図６に示す突起部９０を採用してよい。突起部９０は、底壁部４１から側壁部４２に沿って上方へ延びる角柱の形状を有する。ここでは、突起部９０は、上方から見て略四角形をなす四角柱の形状を有する。突起部９０は、内周側に側面９２Ｄが突出するように配置される。突起部９０は、周方向から見たときに、底壁部４１から立ち上がり、且つ、側壁部４２から立ち上がることで、内部空間４４側へ凸となる形状を有する。
【００５３】
突起部９０は、四角形の上面９２Ａと、側面９２Ｂ，９２Ｃ，９２Ｄと、を有する。エッジ部９３は、上面９２Ａと側面９２Ｂとの間、上面９２Ａと側面９２Ｃとの間、上面９２Ａと側面９２Ｄとの間、側面９２Ｂと側面９２Ｄとの間、及び側面９２Ｃと側面９２Ｄとの間に形成される。また、上面９２Ａと側面９２Ｂ，９２Ｄとの間、及び上面９２Ａと側面９２Ｃ，９２Ｄとの間のエッジ部として頂部９１が形成される。
【００５４】
撹拌容器４０において、突起部９０は、少なくとも二つの面が交わることで形成されるエッジ部９３及び頂部９１を有してよい。この場合、エッジ部９３及び頂部９１が被処理材料Ｍの固形物と衝突することで当該固形物を良好に粉砕することができる。
【００５５】
撹拌容器４０において、突起部９０は、周方向から見たときに、内部空間４４側へ凸となる形状を有してよい。この場合、突起部９０は固形物に対して好適に衝撃を与えることができる。
【００５６】
突起部９０のように四角柱状の形状を採用した場合、三角錐よりも被処理材料Ｍと衝突する面を広く確保できるので、叩き付けによるすり鉢でする効果を得やすくなる。なお、突起部９０は、三角柱状の突起部７０よりもすり鉢でする効果が高いが、その分、突起部７０より粉砕力は低下する。従って、突起部９０は、柔らかい食品（ペースト性の食品など）をすり鉢でする処理する時に、特に効果的である。
【００５７】
例えば、図７に示す突起部１００を採用してよい。突起部１００は、内部空間４４側へ凸となる湾曲面１０１を有する。ここでは、突起部１００の湾曲面１０１は、上方から見ても内部空間側へ凸となっている。
【００５８】
撹拌容器４０において、突起部１００は、周方向から見たときに、内部空間４４側へ凸となる形状を有してよい。この場合、突起部１００は固形物に対して好適に衝撃を与えることができる。
【００５９】
撹拌容器４０において、突起部１００は、内部空間４４側へ凸となる湾曲面１０１を有する。このような形状の場合、被処理材料に対する突起部の抵抗を少なくすることができる。従って、突起部１００は、流動性を有する被処理物の対流を阻害する影響を少なくすることができる。より詳細には、突起部１００は、練りの効果が高い流線型であり抵抗が少ない湾曲面１０１を有している。従って、突起部１００は、粉砕力は他の形態に比して小さい分、流動性のある被処理材料Ｍの対流を阻害する影響が少ない。従って、突起部１００は、手でこねる作業に近い効果が得られる。また食品の分類によっては、アイスの中に固形物（ナッツ、ドライフルーツ、チョコチップ）など粉砕したく無いものを入れる場合がある。このような食品の場合、突起部１００を備える撹拌容器４０は、流動物であるアイスを練りつつも、固形物を残しておくことができる。
【００６０】
［評価］
次に、図８を参照して、上述した実施形態及び変形例の各形態の効果について評価を行う。この評価は、被処理材料としてアイス全般、トマト、桃、ブドウ、生ショウガ、蒸した芋、調味料を入れた挽肉、きりたんぽのための米等の多種類にわたる食品を採用した場合に、各形態がどのような性能を発揮するかについて評価を行ったものである。また、これらの評価に基づいて、各形態がどのような用途に用いられることが特に有利であるかについて説明する。なお、以下の評価は、各形態の用途を限定するものではない。
【００６１】
形態１に係る撹拌容器として、図３に示す形状の突起部を有するものを準備した。形態２に係る撹拌容器として、図４に示す形状の突起部を有するものを準備した。形態３に係る撹拌容器として、図５に示す形状の突起部を有するものを準備した。形態４に係る撹拌容器として、図６に示す形状の突起部を有するものを準備した。形態５に係る撹拌容器として、図７に示す形状の突起部を有するものを準備した。
【００６２】
（基本特性の評価）
各形態に係る撹拌容器の基本特性として、「処理時間」、「食材硬度」、及び「摩擦」の項目について評価した。「処理時間」は、特定の食品を処理する際に、処理開始から、食品を所望の状態とするまでに要する時間を評価する項目である。例えば、アイスとして販売されている食品を用い、当該食品がシェイク、フラペチーノの状態となるまでに要する処理時間がどの程度になるかという点を考慮して評価した。この評価は、従来、工業系材料を処理するために用いられていた撹拌容器（９０度間隔で、上下に延びる柱部材が内部に設けられている）を用いて処理を行った時の処理時間を比較対象として評価した。また、処理時間が短い物ほど得点が高くなるように１〜５の得点で評価した。「食材硬度」は、突起部がどの程度まで硬い食材を粉砕できるかを評価する項目である。また、処理できる食材硬度が高い程、得点が高くなるように１〜５の得点で評価した。ただし、実施例３及び実施例５については、特殊な食材を処理する際に特に効果的であるため、食材硬度については得点を付さなかった。「摩擦」は、突起部が食品に対して生じる摩擦を評価する項目である。例えば、熱の発生有無という点を考慮することで、摩擦を評価した。また、摩擦が小さい程、得点が高くなるように１〜５の得点で評価した。
【００６３】
（効果の評価試験）
各実施例に係る撹拌容器の効果として、「粉砕」、「すり鉢ですること」、及び「練り」の項目について評価した。「粉砕」は、突起部の粉砕力を評価する項目である。例えば、粒度の細かさという点を考慮することで、突起部の粉砕力を評価した。また、粉砕力が大きい程、得点が高くなるように１〜５の得点で評価した。「すり鉢ですること」は、突起部によるすり鉢でする効果（すなわち叩き付け力）を評価する項目である。例えば、粘りの出方という点を考慮することで、突起部のすり鉢でする効果を評価した。また、すり鉢効果が高いほど得点が高くなるように１〜５の得点で評価した。「練り」は、撹拌容器の練り効果を評価する項目である。例えば、舌触りという点を考慮することで、練り効果（すなわち対流の速さ）を評価した。また、練り効果が大きい程、得点が高くなるように１〜５の得点で評価した。なお、練り効果については、突起部を設けない撹拌容器（比較例）が最も高い。従って、比較例に係る撹拌容器を５点とし、それに対して各実施例がどの程度練りの効果を有しているかの評価を行った（最高位が４点である）。
【００６４】
（課題に対する対応の評価試験）
撹拌容器に突起部を設けると、処理開始時に固形物が突起部に固定されることにより、当該固形物が突起部に対して動かないという課題が生じ得る。また、粉砕中に固形物が突起部付近に詰まるという課題が生じ得る。このような課題に対して各実施形態がどの程度対応出来るかを評価した。課題に対する対応として、「動き出し」、及び「材料詰まり」の項目について評価した。「動き出し」は、処理開始時に固形物がどの程度動き出し易いかを評価する項目である。例えば、容器側面近傍の材料変化という点を考慮することで、固形物の動き出し易さを評価した。また、固形物が動き出し易い程、得点が高くなるように１〜５の得点で評価した。「材料詰まり」は、固形物がどの程度詰まり難いかを評価する項目である。例えば、突起に繊維質がたまる（きれない）という点を考慮することで、固形物の詰まり難さを評価した。また、固形物が詰まり難い程、得点が高くなるように１〜５の得点で評価した。
【００６５】
（総合評価）
各項目の得点を図８に示す。また、各項目についての合計得点を図８の「総合」の項目に示す。ただし、「食材硬度」の得点については合計得点から除外している。形態１については、各項目について概ね高得点であった。「粉砕」、「摩擦」及び「動き出し」の評価が高く、且つ、固形物が動き出した後の練り効果についてもある程度高かった。また、形態１は、総合得点においても最も高くなった。このことより、形態１については、対象となる食品を問わず、例えばアイス全般に対し、汎用的に処理を行うことができると言える。
【００６６】
形態２については、全般的に形態１より評価が低かった。しかし、処理することができる食材硬度は高くないが、すり鉢でする効果については、形態１より評価が高かった。従って、形態２は、すり鉢でする効果が求められる際に特に効果的であると言える。形態２の食材として、例えばトマト、桃、ぶどうなどを採用すると好適である。
【００６７】
形態３については、全般的に形態１より評価が低かった。しかし、固形物の詰まり難さ、及び動き出しについては最も評価が高かった。従って、形態３は、処理対象として、例えば生しょうがなど、繊維質の材料の凍結粉砕を行う際に、特に有効であると言える。
【００６８】
形態４については、全般的に形態１及び形態２より評価が低かった。しかし、処理することができる食材硬度は形態２より低いが、すり鉢でする効果については、形態２より評価が高かった。従って、形態４は、蒸した芋など、柔らかい材料（ペースト性の材料など）についてすり鉢でする効果が求められる際に特に効果的であると言える。
【００６９】
形態５については、粉砕やすり鉢でする効果の評価は低いが、摩擦が低く練りの効果も高い。従って、形態５については、粒感を残したい食品（ナッツなどの固形物入りのアイスクリームなど）を処理する場合や、更になめらかな食品とする場合に、特に効果的であると言える。その他、形態５は、挽き肉に調味料を入れたものを練る場合や、米を入れてきりたんぽを練る場合などに有効である。
【符号の説明】
【００７０】
１…遠心機、４０…撹拌容器、４１…底壁部、４２…側壁部、４３…角部、５０，７０，８０，９０，１００…突起部、５３，７３，８３，９３…エッジ部、５１，７１，９１…頂部（エッジ部）、１０１…湾曲面。
【図１】
2019130456.tif 000003
【図２】
2019130456.tif 000004
【図３】
2019130456.tif 000005
【図４】
2019130456.tif 000006
【図５】
2019130456.tif 000007
【図６】
2019130456.tif 000008
【図７】
2019130456.tif 000009
【図８】
2019130456.tif 000010